(57)【要約】【課題】装置の厚みが小さく施工が容易であり、少なくとも表示面内に縦枠が不要な、連続した大面積の、均一に発光する発光面を有する面状照明装置を提供する。【解決手段】表面側に配置された表面板と、前記表面板の後側に配置された拡散部と、前記拡散部の後側に配置された光源とからなり、前記拡散部は、前記光源から照射された光を前記表面板全体に均一に入射する拡散光となるように拡散する膜材で形成されたことを特徴とする面状照明装置を提供する。【選択図】図２
2013030279.tif 000002
【特許請求の範囲】
【請求項１】
表面側に配置された表面板と、
前記表面板の後側に配置された拡散部と、
前記拡散部の後側に配置された光源とからなり、
前記拡散部は、前記光源から照射された光を前記表面板全体に均一に入射する拡散光となるように拡散する膜材で形成されたことを特徴とする面状照明装置。
【請求項２】
前記膜材は、一定の幅を有する長尺状の乳白のフィルム材を、上部を固定するとともに下端部に錘を取り付けて、上から吊り下げて設置されていることを特徴とする請求項１に記載の面状照明装置。
【請求項３】
前記膜材は、少なくとも前後で２枚となるように取り付け、その幅の略半分程度が重なるように前後でずらして千鳥状に配置されたことを特徴とする請求項２に記載の面状照明装置。
【請求項４】
前記膜材は、フッ素フィルムであることを特徴とする請求項３に記載の面状照明装置。
【請求項５】
前記光源は、導光板の側面からＬＥＤにより入射された光をその表面から照射するようにした面発光光源であることを特徴とする請求項１〜４のいずれかに記載の面状照明装置。
【請求項６】
前記導光板は、ガラスで形成されていることを特徴とする請求項５に記載の面状照明装置。
【請求項７】
前記表面板及び前記拡散部は、少なくとも前記表面板の表面の範囲内に各部材を保持するための縦方向の枠材を有していないことを特徴とする請求項１〜６のいずれかに記載の面状照明装置。
【発明の詳細な説明】
【技術分野】
【０００１】
本発明は、面状照明装置に関する。
【背景技術】
【０００２】
従来、広告等を表示する大型の表示装置や、建築物の天井、床、壁等の屋内又は屋外に配置される平面状の照明装置などに用いられる面全体が発光する装置（光壁と言われることもある。）が知られている。
【０００３】
このような平面状の照明装置としては、例えば、大型の看板や表示装置において、光源として蛍光灯を用い、アクリル板や装飾ガラス等からなる表面板の裏側に蛍光灯を多数平面上に配置したものや、光源としてＬＥＤ（Light Emitting Diode)を用い、表面板の裏側に平面上に高密度にＬＥＤを配置したものが知られている。またあるいは、例えばアクリル板やガラス板等の面内に微小な凹凸を形成して導光板とし、導光板の側面（小口）にＬＥＤ等の光源を配置して、導光板の側面から入射された光を導光板の面内へ角度を変化させて導光板全体が均一に発光するように工夫されたものを光源として用いたものなどが知られている。
【０００４】
また例えば、乳白色のアクリル板などの光を拡散する作用を有する板材を拡散板として用い、前述したような導光板の側面から光源の光を入射し、導光板から照射される光を拡散板で拡散して均一に光るようにした、光源と導光板及び拡散板から構成される面状の照明装置が知られている。
【０００５】
例えば、特許文献１には、光源にＬＥＤを用い、導光板の側面からＬＥＤで光を入射し、導光板から照射された光を拡散板で拡散するようにした導光板ユニットを、平面上に横に２つ線対称に配置したＬＥＤ照明ユニットが開示されている。
【先行技術文献】
【特許文献】
【０００６】
【特許文献１】実用新案登録第３１５２１４０号公報
【発明の概要】
【発明が解決しようとする課題】
【０００７】
しかしながら、従来の表面板の裏側に光源を配置して表面板に直接光源からの光を入射させるようにしたものでは、表面板と光源との距離が近いと、光源の形状がはっきりと認識されてしまったり、表面板全体で明るさにムラが生じたりすることがある。そこで、表面板全体を均一に明るくするためには、表面板と光源との距離を大きくしなければならない。しかし、表面板と光源との距離を大きくすると面状の照明装置の厚みが大きくなってしまい、照明装置の設置場所が制約されたり、設置後の照明装置の厚みが邪魔になったりするという問題がある。
【０００８】
また例えば、導光板の側面から光源の光を入射させて導光板全体を発光させようとした場合には、導光板の光源に近い側と光源から遠い側とで明るさを均一にすることが難しいという問題がある。さらに１枚の導光板のサイズに限界があり、コストが高く、導光板を複数連続させて大きな照明装置を形成する場合には、複数の導光板を固定する枠材が必要となり、枠材によって表面板が複数の部分に区切られてしまい、一つの大きな連続した表示面を形成することができず、見栄えが悪くなるという問題がある。
【０００９】
また、光源と表面板との間に、拡散板を配置して、光を拡散して均一にしようとする場合にも、やはり拡散板のサイズに限界があり、コストが高く、さらに拡散板を複数連続させて大きな照明装置を形成しようとすると複数の拡散板を固定する枠材が必要となり、上記同様に見栄えが悪くなる等の問題がある。
【００１０】
本発明は、このような事情に鑑みてなされたもので、装置の厚みが小さく施工が容易であり、少なくとも表示面内に縦枠が不要な、連続した大面積の、均一に発光する発光面を有する面状照明装置を提供することを目的とする。
【課題を解決するための手段】
【００１１】
前記目的を達成するために、本発明の面状照明装置は、表面側に配置された表面板と、前記表面板の後側に配置された拡散部と、前記拡散部の後側に配置された光源とからなり、前記拡散部は、前記光源から照射された光を前記表面板全体に均一に入射する拡散光となるように拡散する膜材で形成されたことを特徴とする。
【００１２】
これにより、拡散部を膜材で形成したことにより、面状照明装置の軽量化を図るとともに、その厚みを薄くすることが可能となり、施工が容易であり、少なくとも表示面内に縦枠が不要な、連続した大面積の、均一に発光する発光面を有する面状照明装置を得ることができる。
【００１３】
また、一つの実施態様として、前記膜材は、一定の幅を有する長尺状の乳白のフィルム材を、上部を固定するとともに下端部に錘を取り付けて、上から吊り下げて設置されていることが好ましい。
【００１４】
これにより、拡散部を形成する膜材をロール状のフィルム材とし、上から吊り下げて設置するようにしたことにより、施工が容易であり、接続のための枠材を必要せずに縦方向はいくらでも延ばすことができ、連続した大面積の発光面を有する面状照明装置を形成することが可能となる。
【００１５】
また、一つの実施態様として、前記膜材は、少なくとも前後で２枚となるように取り付け、その幅の略半分程度が重なるように前後でずらして千鳥状に配置されたことが好ましい。
【００１６】
これにより、拡散部は縦方向のみならず、横方向もそのつなぎ目を目立たせることなく連続した大面積の発光面を形成することが可能となる。
【００１７】
また、一つの実施態様として、前記膜材は、フッ素フィルムであることが好ましい。
【００１８】
これにより、フッ素フィルムを使用したことで拡散効果が高く、光源から短い距離で光をよく拡散することができ、面状照明装置の厚みを薄くすることが可能となる。また、フッ素の作用により汚れがつきにくい。
【００１９】
また、一つの実施態様として、前記光源は、導光板の側面からＬＥＤにより入射された光をその表面から照射するようにした面発光光源であることが好ましい。
【００２０】
これにより、均一な光を発光させることができる。
【００２１】
また、一つの実施態様として、前記導光板は、ガラスで形成されていることが好ましい。
【００２２】
これにより、均一な光を効率良く照射することができる。
【００２３】
また、一つの実施態様として、前記表面板及び前記拡散部は、少なくとも前記表面板の表面の範囲内に各部材を保持するための縦方向の枠材を有していないことが好ましい。
【００２４】
これにより、表面内に枠材が存在しないため、障害物のない連続した発光面を有する見栄えのよい面状照明装置を得ることができる。
【発明の効果】
【００２５】
以上説明したように、本発明によれば、拡散部を膜材で形成したことにより、面状照明装置の軽量化を図るとともに、その厚みを薄くすることが可能となり、施工が容易であり、少なくとも表示面内に縦枠が不要な、連続した大面積の、均一に発光する発光面を有する面状照明装置を提供することができる。
【図面の簡単な説明】
【００２６】
【図１】本発明の面状照明装置の一実施形態の全体の概略構成を示す斜視図
【図２】面状照明装置の一部を拡大して示す分解斜視図
【図３】面状照明装置の床面に平行な面による断面図
【図４】（Ａ）、（Ｂ）は、本発明の面状照明装置の設置方法の工夫を示す側断面図
【図５】面状照明装置の他の例の一部を拡大して示す分解斜視図
【図６】従来の面状照明装置の一例の概略を示す斜視図
【発明を実施するための形態】
【００２７】
以下、添付図面を参照して、本発明に係る面状照明装置について詳細に説明する。
【００２８】
図１は、本発明の面状照明装置の一実施形態の全体の概略構成を示す斜視図である。
【００２９】
図１に示す面状照明装置１は、例えば建物のエントランスやロビー等の壁面に設置され、光源によって表面全面が均一に光り、一定の雰囲気を創出するいわゆる「光壁」としてモニュメント的に用いられる。
【００３０】
面状照明装置１は、裏面に平面状の光源１０が配置され、表面に表面板１２が配置され、その中間に拡散フィルム（拡散膜）１４が２枚（２重に）配置されて構成されている。ただし、表面の表面板１２は、透明ガラスでも良く、ガラス自身が光拡散する乳白色の装飾ガラスでも良い。
【００３１】
面状照明装置１は、上述したようにビルのエントランスやロビー等の壁面に設置して用いられるもので、表示面のサイズは、例えば、縦３ｍ×横７ｍという大きさのものが例示されるが、サイズはこれに限定されるものではなく、設置する場所の環境に合わせて、さらに大きなものでもよい。
【００３２】
面状照明装置１は、例えば壁面前に立設された支柱の上に掛け渡された上枠から吊り下げるようにして設置されるが、大きいものの場合、あるいは天井が低い場合には床から天井まで達する場合もあり、その場合には床と天井にそれぞれ保持枠を設けるようにしてもよい。
【００３３】
光源１０は、表面板１２の全面を均一に照射する平面状の光源（面発光体）であればどのようなものでもよい。例えば、蛍光灯やＬＥＤを複数平面状に並べたものでもよいし、導光板を用いて、導光板の側面（小口）から光源により光を導光板に入射させ導光板の表面から光を照射するようにしたものでもよい。
【００３４】
拡散フィルム（拡散膜）１４は、長尺の拡散フィルムの上端を上枠に、拡散フィルムの下端に錘を付けて上から吊り下げるようにして配置される。長尺の拡散フィルムをロール状に巻き、上枠にロール状拡散フィルムを保持し、必要な長さだけ下端に垂らして設置することが施工上この好ましい。拡散フィルムは乳白フィルムであることが好ましい。このように、フィルム（膜材）状の拡散部を用いることで、装置の重量を軽くすることができ、上から吊り下げるようにすることで、拡散フィルム１４を保持するための縦枠を不要とすることができる。またこのように、フィルム（膜）を上から垂れさせるだけなので、縦方向はつなぎ目なしでいくらでも長く延ばすことができる。
【００３５】
また、拡散フィルム１４を吊り下げるとき、前後のフィルムをその横幅の半分だけずらして重ねて、千鳥状となるように配置することが好ましい。このように千鳥状に配置すると隣のフィルムとの境目が目立たなくてよい。
【００３６】
拡散フィルム１４としては、特に、フッ素フィルムを用いることが好ましい。フッ素フィルムを用い、さらに上述したように重ねて使用することで拡散効果がより高くなるため、光源１０との距離を小さくすることが可能となり、従来、光源から表面板（装飾ガラス）までの距離が５００ｍｍ程度必要であった装置の厚さを、１５０ｍｍ程度とすることができ、面状照明装置１の厚さを非常に少なくすることができる。また、拡散フィルム１４は、常に空気に晒されているため汚れやすいが、フッ素フィルムを用いることで汚れ難くすることができるという利点もある。
【００３７】
また表面板１２としては、特に限定はされないが、面状照明装置１が用いられる場所の雰囲気に合わせて適当な装飾ガラスを用いるようにすることが好ましい。また、ガラス以外に、光を通す大理石等のような天然石を用いてもよい。
【００３８】
図２に、面状照明装置１の一部を拡大して分解斜視図で示す。また、図３に、面状照明装置１の床面に平行な面による断面図を示す。
【００３９】
図２に示すように、表面板１２は、その表面に装飾の施された装飾ガラスが好ましく、装飾ガラス用上枠１６ａ及び装飾ガラス用下枠１６ｂによって上下を保持されて固定されている。また、拡散フィルム１４は、上部を拡散フィルム用上枠１８ａによって保持され、下端部に錘（下部錘）１８ｂが装着されて、上から吊り下げられている。
【００４０】
このように拡散フィルム１４は、自重により鉛直に垂れ下がるだけであり、錘（下部錘１８ｂ）をぶら下げるに際しても、フィルム材なので軟らかく、孔開け等の作業は現場でも可能であり、その場で簡単に切断したり、タッカーやステープラーのような簡便な固定道具で適宜固定したりすることができるので、現場施工性に優れている。
【００４１】
また、拡散フィルム１４はこのような膜状の材料なので、拡散効果を高めるために複数枚を重ねて使用することも容易であり、本実施形態で前後２枚を千鳥状に配置したように、複数枚を重ねた際、表面側と裏面側とでその接合部をずらすことで接合部が目立つのを低減できる。
【００４２】
また、光源１０は、ここでは、導光板２０、ＬＥＤ２２及び反射板２４から構成されているものとする。すなわち、導光板２０の少なくとも側面１か所にＬＥＤ２２を配置して、導光板２０の側面から光を入射させ、導光板２０の表面全面から発光する面発光光源を構成する。なお、導光板２０としては、通常はアクリル板がよく使用されるが、ここではガラスで導光板２０を形成し、ガラスの側面から光を入れるようにしている。
【００４３】
またこのとき、ＬＥＤ２２の光を効率良く用いるために反射板２４が設けられている。なお、ここでは図示を省略したが、光源１０に対しても上下を保持固定する枠が光源１０の上下に設置されている。光源１０には必要に応じて縦枠を付けてもよい。
【００４４】
また、図３に示すように、面状照明装置１は、建物の壁面３０の前に設置されている。ここでは、図示を省略したが、壁面３０の前に自立の支柱を立ててその間に面状照明装置１を上部に設けた枠から吊るようにして設置するようにする。
【００４５】
図３に示すように、導光板２０、導光板２０の対向する側面に配置されたＬＥＤ２２及び反射板２４から構成される光源１０が、壁面３０に沿って複数横に並べて配置されている。そして光源１０の前に拡散フィルム１４が、前後に２枚、それぞれ隣との境目が前後で重ならないように、前後の拡散フィルム１４の横幅の略半分程度ずらして、千鳥状に配置されている。
【００４６】
ここで拡散フィルム１４は、薄いぺらぺらのフィルムであり、軽いので、下端部に下部錘１８ｂを装着して、拡散フィルム用上枠１８ａから吊り下げて配置されている。従って、隣り合った拡散フィルム１４の間に配置して、隣り合った拡散フィルム１４同士を保持固定するための縦枠（縦方向の枠材）は不要である。
【００４７】
そして、前面に表面板１２（装飾ガラス）が複数横に並べて配置されている。表面板１２は、図２に示すように、表面板用上枠１６ａによって上から吊り下げるとともに下側を表面板用下枠１６ｂで保持されている。隣の表面板１２との間には特に枠（縦枠）が設けられていないため、隣の表面板１２との境目の隙間を目地シール２６で埋めるようにしている。目地シール２６は、隣り合った表面板１２間の境目（つなぎ目）が目立たないよう特に透明のものが好ましい。
【００４８】
このように、本実施形態においては、表面の隣り合った表面板１２間及び隣り合った拡散フィルム１４間に縦枠が存在しないため、隣り合った表面板１２間及び拡散フィルム１４間の境目（つなぎ目）が目立たず、見栄えのよい連続した大面積の光壁を形成することができる。
【００４９】
これを従来の面状照明装置と比較するために、図６に従来の面状照明装置（光壁）を示す。
【００５０】
図６に示すように、従来の面状照明装置１００は、裏面に平面状の光源１１０が配置され、表面にガラス１１２が配置され、その中間にアクリル板等の拡散板１１４が配置されて構成されている。
【００５１】
また、従来の拡散板１１４は、アクリル板等で形成されているため、重いので保持固定するための縦枠（縦方向の枠材）１２６が必要となる。
【００５２】
従って、従来の面状照明装置１００では、表面のガラス１１２にこの縦枠１２６が映り込み、表面に縦線が入ってしまい、表面の明るさが均一とはならず、連続した光壁が得られず、見栄えが悪くなる。
【００５３】
また、図４に、本発明の面状照明装置１の設置方法の工夫を示す。図４（Ａ）、（Ｂ）は、それぞれ面状照明装置１の側断面図である。
【００５４】
図４（Ａ）に示すように、表面板１２を上で保持する表面板用上枠１６ａが、光源１０を上で保持する光源用上枠２８ａよりも上に位置し、表面板１２を下で保持する表面板用下枠１６ｂが、光源１０を下で保持する光源用下枠２８ｂよりも下に位置していると、どうしても表面板１２の上端部及び下端部が図に斜線Ｓで示したように、光源１０からの光があまり届かず影が生じてしまい、表面板１２全面を均一な明るさとすることができない。
【００５５】
そこで、図４（Ｂ）に示すように、表面板１２を上で保持する表面板用上枠１６ａの位置を下げるとともに、表面板１２を下で保持する表面板用下枠１６ｂの位置を上げて、それぞれの位置を少なくとも光源用上枠２８ａ及び光源用下枠２８ｂと同じぐらいにすることにより、表面板１２の全面に同じように光が照射されるようにして、表面板１２の上端部及び下端部における影の発生を防止することができ、表面板１２全面を均一な明るさとすることができる。
【００５６】
図５に、本発明の面状照明装置の他の例を示す。図５は、他の例に係る面状照明装置の一部を拡大して示す分解斜視図である。
【００５７】
図５に示す、面状照明装置１’は、光源１０’を多数のＬＥＤを平面状に配列したものとした点が前述した面状照明装置１と異なる。
【００５８】
その他の表面板１２及び拡散フィルム１４といった構成に関しては前述した面状照明装置１と同じである。すなわち、表面板１２は表面板用上枠１６ａ及び表面板用下枠１６ｂによって上下を保持され、また拡散フィルム１４は、上部を拡散フィルム用上枠１８ａで保持されて下端部に下部錘１８ｂが装着されて吊り下げられて、前後２枚が千鳥状に重なるように配置されている。
【００５９】
またさらに、光源１０’は、複数の蛍光灯を平面状に配列したものでもよい。いずれの光源を用いても、拡散フィルムは薄く拡散性が高いため、光源からの距離が少なくとも光を充分に拡散し、全面に亙って均一な明るさを得ることができ、厚さの薄い面状照明装置を得ることができる。またフィルムなので上から垂らすだけでよいので、縦の枠材も不要であり、表面内に枠材の影ができることもない。
【００６０】
以上、本発明に係る面状照明装置について詳細に説明したが、本発明は、以上の例には限定されず、本発明の要旨を逸脱しない範囲において、各種の改良や変形を行ってもよいのはもちろんである。
【符号の説明】
【００６１】
１…面状照明装置、１０…光源、１２…表面板（装飾ガラス）、１４…拡散フィルム（拡散膜）、１６ａ…表面板用上枠、１６ｂ…表面板用下枠、１８ａ…拡散フィルム用上枠、１８ｂ…下部錘、２０…導光板、２２…ＬＥＤ、２４…反射板、２８ａ…光源用上枠、２８ｂ…光源用下枠、３０…壁面
【図１】
2013030279.tif 000003
【図２】
2013030279.tif 000004
【図３】
2013030279.tif 000005
【図４】
2013030279.tif 000006
【図５】
2013030279.tif 000007
【図６】
2013030279.tif 000008